(57)【要約】【課題】大袋や箱への詰め込み作業の際、大袋又は他の包装袋の袋部にピンホールを発生させることのない三角錐型包装袋を提供する。【解決手段】三角錐型包装袋は、縦シール（２）、トップシール（４）、ボトムシール（６）、これらトップシール（４）とボトムシール（６）との間に形成された三角錐形状の袋部（８）、袋部(８)側のトップシール（４）及びボトムシール（６）のシール境界線（４ａ，６ａ）を備え、該シール境界線の両端域(Ｘ)はそのシール境界線における残部の延長線に対して偏向されている。【選択図】図１
2018030637.tif 000002
【特許請求の範囲】
【請求項１】
縦シールと、該縦シールに沿って互いに離間した一対の横シールと、前記一対の横シールが互いに交差する方向に配置されて、前記一対の横シール間に物品を収容すべき三角錐形状の袋部とを備えた三角錐型包装袋であって、
前記各横シールが前記袋部の１つの辺を規定するシール境界線をそれぞれ有し、
該シール境界線の両端域がそのシール境界線の残部の延長線に対して偏向されている、三角錐型包装袋。
【請求項２】
一方の横シールが有する前記シール境界線の両端域は、他方の横シールに近付く方向に偏向されている、請求項１に記載の三角錐型包装袋。
【請求項３】
一方の横シールが有する前記シール境界線の両端域は、他方の横シールから離れる方向に偏向されている、請求項１に記載の三角錐型包装袋。
【請求項４】
前記縦シールはフィンシールの形態をなし、
一方の横シールの右端縁と前記縦シールの付け根との間の距離と他方の横シールの左端縁と前記縦シールの付け根との間の距離とが略同一に設定されている、請求項１〜３の何れかに記載の三角錐型包装袋。
【発明の詳細な説明】
【技術分野】
【０００１】
本発明はその内部に物品を収容する三角錐型包装袋に関する。
【背景技術】
【０００２】
この種の三角錐型(四面体形状)包装袋は例えば以下の特許文献１に記載されている。該特許文献１の包装袋は縦シールに加えて一対の横シール（天シール部及び底シール部）を備え、これら横シールはその長手方向が互いに直交するように配置されている。このような一対の横シールの配置によれば、これら横シール間に三角錐形状の袋部が確保され、該袋部は物品の収容空間として使用される。
【先行技術文献】
【特許文献】
【０００３】
【特許文献１】特開2014-34396号公報
【発明の概要】
【発明が解決しようとする課題】
【０００４】
上述した包装袋の横シールは三角錐形状をなす袋部の一辺、所謂、真っ直ぐなシール境界線を規定しているので、その全体が該シール境界線に沿い袋部に向けて折れ曲がり易い。このような横シールの折れ曲がりは、横シールの端に位置した三角錐形状の袋部の頂点を楔状に尖った角に形成してしまう。
【０００５】
このため、上述した包装袋が大袋又は箱に詰め込まれる際、三角錐形状の袋部の頂点が上述したような尖った角になっていると、該頂点が大袋又は他の包装袋の袋部に衝突した際、前記角が大袋や袋部に突き刺さり、大袋又は他の包装袋にピンホールを形成してしまう虞がある。
【０００６】
本発明は上述の事情に基づいてなされたもので、その目的とするところは、包装袋の詰め込み作業の際、大袋又は他の包装袋の袋部にピンホールを発生させることのない三角錐型包装袋を提供することにある。
【課題を解決するための手段】
【０００７】
上述の目的は本発明の三角錐型包装袋によって達成され、該包装袋は、縦シールと、該縦シールに沿って互いに離間した一対の横シールと、前記一対の横シールが互いに交差する方向に配置されて、前記一対の横シール間に物品を収容すべき三角錐形状の袋部とを備え、前記各横シールが前記袋部の１つの辺を規定するシール境界線をそれぞれ有し、該シール境界線の両端域がそのシール境界線における残部の延長線に対して偏向されている（請求項１）。
【０００８】
上述の三角錐型包装袋によれば、前記シール境界線の両端域がそれぞれ偏向されているので、横シールはその全体がシール境界線に沿って折れ曲がり難く、三角錐形状をなす袋部の頂点が楔状に尖った角になってしまうことがない。この結果、包装袋の詰め込みの際、包装袋が大袋や他の包装袋の袋部に衝突するとしても、包装袋は上述した尖った角を有していないので、大袋又は他の包装袋の袋部にピンホールが形成される可能性は非常に低い。
【０００９】
具体的には、一方の横シールが有するシール境界線の両端域は他方の横シールに近付く方向に偏向されているか(請求項２)、又は、前記他方の横シールから離れる方向に偏向されている（請求項３）。前者の場合、横シールにおける両端部でのシール面積が増加するので、その横シールはシール性に優れたものとなり、一方、後者の場合には横シールにおける両端部でのシール面積が減少するものの、横シールを形成する横シーラの製作を容易にする。
【００１０】
更に、前記縦シールがフィンシールの形態をなしている場合、一方の横シールの右端縁と前記縦シールの付け根との間の距離と他方の横シールの左端縁と前記縦シールの付け根との間の距離とは略同一に設定されている（請求項４）。このような構成によれば、各々の横シールに対する縦シールの交差位置が三角錐形状をなす袋部の頂点に近接し過ぎることがない。この点、前記交差位置が袋部の頂点に近接し過ぎた状態で、横シールが折れ曲がってしまうと、楔状に尖った角の剛性は益々高くなり、前述したピンホールを更に発生させ易いことになるが、このような不具合は前記構成にて回避される。
【発明の効果】
【００１１】
請求項１〜４に係る本願発明の三角錐型包装袋によれば、横シールにおけるシール境界線の両端域がシール境界線における残部の延長線に対して偏向されているので、横シールはその全体がシール境界線に沿って折れ曲がり難くなり、三角錐形状をなす袋部の頂点が楔状に尖った角に形成されることはない。よって、包装袋が大袋や箱に詰め込まれる際、包装袋が大袋又は他の包装袋の袋部に衝突するとしても、大袋又は他の包装袋の袋部にピンホールを発生させる可能性は低い。
【図面の簡単な説明】
【００１２】
【図１】本発明の第１実施形態に係る三角錐型包装袋の斜視図である。
【図２】図１の包装袋の平面図である。
【図３】図１の包装袋の正面図である。
【図４】図１の包装袋の側面図である。
【図５】本発明の第２実施形態に係る三角錐型包装袋の正面図である。
【図６】図５の包装袋の側面図である。
【発明を実施するための形態】
【００１３】
図１〜４を参照すれば、本発明の第１実施形態に係る三角錐型包装袋はヒートシール可能な包材からなり、フィンシールの形態をなす縦シール２と、該縦シール２に沿って離間した一対の横シールとを備え、これら横シールは所謂、トップシール４及びボトムシール６と称される。トップシール４及びボトムシール６はその長手方向が互い直交する方向に配置され（図２参照）、このようなトップシール４及びボトムシール６の配置はトップシール４とボトムシール６との間の袋部８を９０°捩り、ここでの捻りにより、該袋部８は略三角錐(四面体)に形成される。なお、袋部８は物品の収容に利用される。
【００１４】
このような略三角錐の袋部８は三角形状をなした４つの面を有し、上述の縦シール２は袋部８の隣接する２面に亘り、トップシール４からボトムシール６まで延びている。更に詳しくは、袋部８は前記４つの面を形成する６つの辺１０と、４つの頂点１２と有し、２つの辺１０は袋部８側に位置したトップシール４及びボトムシール６のシール境界線４ａ，６ａによって形成され、各頂点１２は袋部８の３つの辺が集合することで形成される。
【００１５】
袋部８が三角錐の形状をなす場合、通常、４つの頂点１２はシール境界線４ａ，６ａの両端にそれぞれ位置付けられる。しかしながら、本実施形態の場合、図３から明らかなように、シール境界線６ａの両端域Ｘはシール境界線６ａにおける残部の延長線Ｙ(図３参照)に対して偏向している。具体的には、両端域Ｘはトップシール４に近付く方向に偏向され、これより、シール境界線６ａの両端に位置する２つの頂点１２は前記延長線Ｙからトップシール４側にそれぞれ変位している。
【００１６】
また、図４から明らかなように、シール境界線４ａの両端域Ｘもまた同様に偏向され、シール境界線４ａの両端に位置する２つの頂点１２はボトムシール６に近付く方向にそれぞれ変位している。
【００１７】
更に、図３でみてボトムシール６の右端縁と縦シール２の付け根との間の距離と、図４でみてトップシール４の左端縁と縦シール２の付け根との間の距離とは図３，４中、“ａ”で示されるように略同一に設定されている。
【００１８】
上述したように頂点１２がシール境界線４ａ，６ｂの延長線Ｙに対してそれぞれ変位していれば、つまり、シール境界線４ａ，６ｂが真っ直ぐでなければ、トップシール４及びボトムシール６はその全体がシール境界線４ａ，６ｂに沿って折れ曲がり難く、袋部８の頂点が楔状に尖った角になることはない。
【００１９】
この結果、包装袋の詰め込みの際、該包装袋が大袋又は他の包装袋の袋部８に衝突するとしても、その包装袋は上述した尖った角を有していないので、大袋又は他の包装袋にピンホールが発生する可能性は低い。また、シール境界線４ａ，６ａの両端域Ｘが前述したように偏向されていれば、トップシール４及びボトムシール６における両端部のシール面積が増加し、トップシール４及びボトムシール６は高いシール能を有する。
【００２０】
更に、前述したトップシール４及びボトムシール６での前述した距離“ａ”が同一に設定されていれば、トップシール４及びボトムシール６に対する縦シール２の交差位置が片方の頂点１２側に寄り過ぎることもない。それ故、万一、トップシール４又はボトムシール６がシール境界線４ａ又は６ｂに沿って折れ曲がり、三角錐形状の袋部８の可頂点が尖った角に形成されたとしも、該角の剛性が縦シール２によって不所望に増加されることもなく、角に起因したピンホールの形成は低減される。
【００２１】
上述の第１実施形態ではトップシール４におけるシール境界線４ａの両端域Ｘがボトムシール６に近付く方向に偏向し、ボトムシール６におけるシール境界線６ａの両端域Ｘがトップシール４に近付く方向に偏向しているが、図５，６に示される第２実施形態では両端域Ｘの偏向方向が逆向きとなっている。即ち、ボトムシール６側の両端域Ｘはトップシール４から離れる方向に偏向し、トップシール４側の両端域Ｘはボトムシール６から離れるように偏向している。このような第２実施形態でも、トップシール４及びボトムシール６はその全体がシール境界線４ａ及び６ｂに沿って折れ曲がり難くなり、第１実施形態と同様な作用効果を得ることができる。
【００２２】
更に、本発明は上述した第１及び第２実施形態に制約されるものではなく、種々の変更が可能である。例えば、第１及び第２実施形態では、シール境界線４ａ，４ｂの両端域Ｘとそのシール境界線の残部との両者が角度を存して接続されているが、その両者は滑らかに接続されていてもよいし、また、両端域Ｘ自体が直線ではなく湾曲線であってもよい。また、トップシール４及びボトムシール６はそのシール境界線とは反対側に長手方向縁を有するが、この長手方向縁が波形をなしていてもよいし、長手方向縁の一方に開封ノッチを形成することも可能である。
【符号の説明】
【００２３】
２                縦シール
４                トップシール（横シール）
４ａ              シール境界線
６                ボトムシール(横シール)
６ａ              シール境界線
８                袋部
１０              辺
１２              頂点
Ｘ                端域
Ｙ                延長線
【図１】
2018030637.tif 000003
【図２】
2018030637.tif 000004
【図３】
2018030637.tif 000005
【図４】
2018030637.tif 000006
【図５】
2018030637.tif 000007
【図６】
2018030637.tif 000008